(57)【特許請求の範囲】
【請求項１】
複数種類のガードレール・ブロックに分けられる複数のガードレール・ブロックが任意に組み合わされて構成され、走行玩具を走行させるコースに沿って配置される走行玩具用ガードレールであって、
前記複数のガードレール・ブロックは、それぞれ隣接する他の前記ガードレール・ブロックと第１のタイプの連結構造を介して連結されており、
前記複数種類のガードレール・ブロックのうち少なくとも１種類のガードレール・ブロックは、前記ガードレール・ブロックの長手方向に沿って並び且つ第２のタイプの連結構造を介してそれぞれ連結された３個以上の分割ブロックにより構成されており、
前記３個以上の分割ブロックは、両端に位置して一端に前記第１のタイプの連結構造の半部を構成する第１のタイプの連結構造半部を有し且つ他端に前記第２のタイプの連結構造の半部を構成する第２のタイプの連結構造半部を有する第１及び第２の端部側分割ブロックと、前記第１及び第２の端部側分割ブロックの間に位置して両端に前記第２のタイプの連結構造の半部を構成する第２のタイプの連結構造半部をそれぞれ備えたｎ個（ｎは正の整数）の中間分割ブロックとから構成され、
前記第１及び第２の端部側分割ブロックにそれぞ設けられた前記第２のタイプの連結構造半部及び前記中間分割ブロックの両端にそれぞれ設けられた２つの前記第２のタイプの連結構造半部は、前記第１の端部側分割ブロック、前記中間分割ブロック及び前記第２の端部側分割ブロックの順に連結されているときには、前記第１の端部側分割ブロック、前記中間分割ブロック及び前記第２の端部側分割ブロックのそれぞれの長手方向に延びる中心線間の角度が１８０°となり、前記第２の端部側分割ブロック、前記中間分割ブロック及び前記第１の端部側分割ブロックの順に連結されているときには、前記第２の端部側分割ブロックの長手方向に延びる中心線と前記中間分割ブロックの長手方向に延びる中心線との間の夾角θ及び前記第１の端部側分割ブロックの長手方向に延びる中心線と前記中間分割ブロックの長手方向に延びる中心線との間の夾角θがそれぞれ１８０°より小さい角度になるように構成され、
前記１種類のガードレール・ブロックは、前記第１及び第２の端部側分割ブロックと１つの前記中間分割ブロックとから構成され、
前記第１及び第２の端部側分割ブロックは、それぞれの前記第１のタイプの連結構造半部を連結したときに、前記中間分割ブロックと同じ形状のブロックを構成するように形状及び寸法が定められていることを特徴とする走行玩具用ガードレール。
【請求項２】
前記夾角θが[１８０°−（３６０°／ｍ）]であり、但しｍは４以上の正の整数であることを特徴とする請求項１に走行玩具用ガードレール。
【請求項３】
前記複数種類のガードレール・ブロックは、直線状に延びた２種類のガードレール・ブロックからなり、一方の種類のガードレール・ブロックが前記１種類のガードレール・ブロックである請求項１または２に記載の走行玩具用ガードレール。
【請求項４】
前記複数種類のガードレール・ブロックは、前記第２のタイプの連結構造により連結された２個の分割ブロックからなる第３の種類のガードレール・ブロックを含んでおり、
前記第３の種類のガードレール・ブロックを構成する前記２個の分割ブロックは、一端に前記第１のタイプの連結構造の半部を構成する前記第１のタイプの連結構造半部を有し且つ他端に前記第２のタイプの連結構造の半部を構成する前記第２のタイプの連結構造半部をそれぞれ有している請求項１または２に記載の走行玩具用ガードレール。
【請求項５】
複数種類のガードレール・ブロックに分けられる複数のガードレール・ブロックが任意に組み合わされて構成され、走行玩具を走行させるコースに沿って配置される走行玩具用ガードレールであって、
前記複数のガードレール・ブロックは、それぞれ隣接する他の前記ガードレール・ブロックと第１のタイプの連結構造を介して連結されており、
前記複数種類のガードレール・ブロックのうち少なくとも１種類のガードレール・ブロックは、前記ガードレール・ブロックの長手方向に沿って並び且つ第２のタイプの連結構造を介してそれぞれ連結された３個以上の分割ブロックにより構成されており、
前記３個以上の分割ブロックは、両端に位置して一端に前記第１のタイプの連結構造の半部を構成する第１のタイプの連結構造半部を有し且つ他端に前記第２のタイプの連結構造の半部を構成する第２のタイプの連結構造半部を有する第１及び第２の端部側分割ブロックと、前記第１及び第２の端部側分割ブロックの間に位置して両端に前記第２のタイプの連結構造の半部を構成する第２のタイプの連結構造半部をそれぞれ備えたｎ個（ｎは正の整数）の中間分割ブロックとから構成され、
前記第１及び第２の端部側分割ブロックにそれぞ設けられた前記第２のタイプの連結構造半部及び前記中間分割ブロックの両端にそれぞれ設けられた２つの前記第２のタイプの連結構造半部は、前記第１の端部側分割ブロック、前記中間分割ブロック及び前記第２の端部側分割ブロックの順に連結されているときには、前記第１の端部側分割ブロック、前記中間分割ブロック及び前記第２の端部側分割ブロックのそれぞれの長手方向に延びる中心線間の角度が１８０°となり、前記第２の端部側分割ブロック、前記中間分割ブロック及び前記第１の端部側分割ブロックの順に連結されているときには、前記第２の端部側分割ブロックの長手方向に延びる中心線と前記中間分割ブロックの長手方向に延びる中心線との間の夾角θ及び前記第１の端部側分割ブロックの長手方向に延びる中心線と前記中間分割ブロックの長手方向に延びる中心線との間の夾角θがそれぞれ１８０°より小さい角度になるように構成され、
前記ガードレール・ブロック、前記第１及び第２の端部側分割ブロック及び前記中間分割ブロックは、それぞれ前記長手方向に延びる前記中心線に沿って稜線を形成するように一端が結合され且つ前記稜線から離れるに従って互いに離れるように傾斜した第１及び第２のサイドウォールと、前記長手方向の両側に位置して前記第１及び第２のサイドウォールを連結する第１及び第２のエンドウォールと、前記第１及び第２のサイドウォール並びに前記第１及び第２のエンドウォールによって囲まれて前記稜線が位置する側とは反対側に向かって開口する開口部を有する空間部とをそれぞれ備えていることを特徴とする走行玩具用ガードレール。
【請求項６】
前記第１及び第２のサイドウォールの内壁部には、前記開口部を通して挿入される少なくとも一つの重りを着脱可能に保持する重り保持構造部が設けられている請求項５に記載の走行玩具用ガードレール。
【請求項７】
前記重り保持構造部が前記長手方向に沿って複数個設けられている請求項６に記載の走行玩具用ガードレール。
【請求項８】
前記重りが少なくとも１種類のコインからなり、
前記重り保持構造部は、前記コインの表面または裏面が前記開口部側に向く姿勢で前記コインを保持するように構成されている請求項６または７に記載の走行玩具用ガードレール。
【請求項９】
前記重り保持構造部は、外径寸法の異なる複数枚のコインを、外径寸法が大きい前記コインが外形寸法の小さい前記コインよりも前記開口部側に位置するように保持する構造を有している請求項８に記載の走行玩具用ガードレール。
【請求項１０】
前記重り保持構造部は、前記稜線に沿って並び且つ前記開口部に向かって延びて前記コインの外周部と係合する第１及び第２のフックと、前記稜線と直交し且つ前記第１及び第２の一対のフック間の中心を通る仮想中心を中心として周方向に前記第１及び第２のフックから９０°離れた位置に形成されて前記コインの表面または裏面の周縁部と接触する第１及び第２のストッパ部と、前記第１及び第２のストッパ部の間に位置する第３のストッパ部と、前記第１のストッパ部と前記第１のフックとの間に位置して前記仮想中心を中心とする仮想円に沿って延び前記コインの外周面と接触する第１の円弧状起立壁部と、前記第２のストッパ部と前記第２のフックとの間に位置して前記仮想中心を中心とする前記仮想円に沿って延び前記コインの外周面と接触する第２の円弧状起立壁部とからなり、前記第１のフックと前記第２の円弧状起立壁部壁部との間及び前記第２のフックと前記第１の円弧状起立壁部との間にプレイヤの２本の指の先端を入れる２つの空間が形成されている請求項９に記載の走行玩具用ガードレール。
【請求項１１】
前記ガードレール・ブロックの前記第１及び第２のエンドウォールは、前記中心線及び前記稜線を含む第１の仮想面と直交する第２の仮想面と平行に延びるようにそれぞれ形成されており、
前記第１及び第２のエンドウォールは前記第１の仮想面が中央に位置するように配置されて前記第１の仮想面と平行に延びる凹部及び凸部をそれぞれ備えており、
前記第１のエンドウォールに設けられた前記凹部及び凸部と前記第２のエンドウォールに設けられた前記凹部及び凸部とは、前記第１の仮想面に対して逆の配置関係になるように設けられており、
前記第１及び第２のエンドウォールに設けられた前記凹部及び凸部が、隣接する他の前記ガードレール・ブロックに設けられた前記凸部及び凹部と嵌合することにより前記第１のタイプの連結構造を構成する第１のタイプの連結構造半部を構成している請求項５に記載の走行玩具用ガードレール。
【請求項１２】
前記第１及び第２の端部側分割ブロックの前記第１のエンドウォールは、前記中心線及び前記稜線を含む第１の仮想面と直交する第２の仮想面と平行に延びるようにそれぞれ形成されており、
前記第１及び第２の端部側分割ブロックの前記第１のエンドウォールには前記第１の仮想面が中央に位置するように配置されて前記第１の仮想面と平行に延びる凹部及び凸部が設けられており、
前記第１及び第２の端部側分割ブロックの前記第２のエンドウォールは、前記第１の仮想面と交差し前記第１の仮想面との間の角度が前記夾角θの１／２の角度となる第３の仮想面と平行に延びるようにそれぞれ形成されており、
前記第１及び第２の端部側分割ブロックの前記第２のエンドウォールには前記第３の仮想面と直交する第４の仮想面が中央に位置するように配置されて前記第４の仮想面と平行に延びる凹部及び凸部が設けられており、
前記第１及び第２の端部側分割ブロックの前記第１のエンドウォールに設けられた前記凹部及び凸部の前記第１の仮想面に対する位置関係と前記第１及び第２の端部側分割ブロックの前記第２のエンドウォールに設けられた前記凹部及び凸部の前記第４の仮想面に対する位置関係とは、逆の位置関係にあり、
前記中間分割ブロックの前記第１のエンドウォールは、前記中間分割ブロックの前記中心線及び前記稜線を含む第５の仮想面と交差し且つ前記第５の仮想面との間の角度が前記夾角θの１／２の角度となる第６の仮想面と平行に延びるように形成されており、
前記中間分割ブロックの前記第１のエンドウォールには前記第６の仮想面と直交する第７の仮想面が中央に位置するように配置されて前記第７の仮想面と平行に延びる凹部及び凸部が設けられており、
前記中間分割ブロックの前記第２のエンドウォールは、前記第５の仮想面と交差し、前記第６の仮想面とは非平行で、しかも前記第５の仮想面との間の角度が前記夾角θの１／２の角度となる第８の仮想面と平行に延びるように形成されており、
前記中間分割ブロックの前記第２のエンドウォールには前記第８の仮想面と直交する第９の仮想面が中央に位置するように配置されて前記第９の仮想面と平行に延びる凹部及び凸部が設けられており、
前記中間分割ブロックの前記第１のエンドウォールに設けられた前記凹部及び凸部の前記第７の仮想面に対する位置関係と前記中間分割ブロックの前記第２のエンドウォールに設けられた前記凹部及び凸部の前記第９の仮想面に対する位置関係とは、逆の位置関係にあり、
前記第１及び第２の端部側分割ブロックの前記第２のエンドウォールと、前記第１及び第２の端部側分割ブロックの前記第２のエンドウォールに設けられた前記凹部及び凸部は、前記中間分割ブロックの前記第１及び第２のエンドウォールに設けられた前記凹部及び凸部と嵌合した状態で前記第２のタイプの連結構造を構成する前記第２のタイプの連結構造半部をそれぞれ構成している請求項５に記載の走行玩具用ガードレール。
【請求項１３】
前記凸部は、前記エンドウォールから延びる一対の直線状脚部と、前記一対の直線状脚部の外壁部に設けられた一対の突出部と、前記一対の直線状脚部の先端を連結する連結部とから構成されており、
前記凹部は前記エンドウォールに向かって開口する挿入口と、前記挿入口から前記一対の直線状脚部が延びる方向とは反対側に延びる一対の対向壁部と、前記一対の対向壁部から突出して前記凸部に設けられた前記一対の突出部と係合する一対の被係合部とを備えている請求項１１または１２に記載の走行玩具用ガードレール。
【請求項１４】
前記ガードレール・ブロックの前記第１及び第２のサイドウォールには、前記稜線の両側に位置して前記稜線に沿って延びる２本以上の溝部がそれぞれ形成されている請求項５に記載の走行玩具用ガードレール。
【発明の詳細な説明】
【０００１】
【発明の属する技術分野】
本発明は、走行玩具を走行させるコースに沿って配置される走行玩具用ガードレール及び該ガードレールを構成するために用いるガードレール・ブロックに関するものである。
【０００２】
【従来の技術】
走行玩具を床や机等のプレイフィールド上で走行させて遊ぶ場合に、プレイフィールド上にコースを設定する場合がある。コースをプレイフィールド上に作るために、従来は、複数の直線状のガードレール・ブロックやカーブ状のガードレール・ブロック等を任意に組み合わせて走行玩具用ガードレールを作り、この走行玩具用ガードレールを走行玩具を走行させるコースに沿って配置している。
【０００３】
【発明が解決しようとする課題】
従来販売されている走行玩具用ガードレールでは、カーブに用いる専用のガードレール・ブロックを含む複数種類のガードレール・ブロックを用意している。カーブ専用のガードレール・ブロックは、カーブにしか用いることができず、コースの設計の自由度を高めるためには、用意するカーブ専用のガードレール・ブロックの数を多くするとともに、用意する直線状のガードレール・ブロックの数も多くする必要がある。しかしながら、カーブ専用のガードレール・ブロックの種類を増やすことや、直線状のガードレール・ブロックの数を増やすことは、走行玩具用ガードレールのキットの包装を大きくする原因となり、またキットの価格を上昇させる原因となる。
【０００４】
また従来販売されている走行玩具用ガードレールでは、使用するガードレール・ブロックに滑り止めを設けたり、重りをつけることにより、ガードレール・ブロックの移動を阻止している。しかしながら各ガードレール・ブロックは相互に連結されていないので、ガードレールの形状が崩れ易い問題がある。
【０００５】
本発明の目的は、従来よりも少ない種類のガードレール・ブロックを用いて、従来よりもコースの設計の自由度を高めることができる走行玩具用ガードレールを提供することにある。
【０００６】
本発明の他の目的は、従来よりも少ない数のガードレール・ブロックを用いて、従来よりもコースの設計の自由度を高めることができ、しかも安価な走行玩具用ガードレールを提供することにある。
【０００７】
本発明の他の目的は、直線状ガードレール・ブロックとしても、またカーブ状ガードレール・ブロックとして用いることができるガードレール・ブロックを含んで構成される走行玩具用ガードレールを提供することにある。
【０００８】
本発明の他の目的は、従来よりも少ない種類のガードレール・ブロックを用いて、正多角形形状のガードレールのパターンを形成できるガードレール・ブロック及び該ガードレール・ブロックを用いた走行玩具用ガードレールを提供することにある。
【０００９】
本発明の他の目的は、軽量で、しかも機械的強度の高いガードレール・ブロック及び該ガードレール・ブロックを備えた走行玩具用ガードレールを提供することにある。
【００１０】
本発明の更に他の目的は、移動し難い走行玩具用ガードレールを提供することにある。
【００１１】
本発明の他の目的は、重りの装着が容易な走行玩具用ガードレールを提供することにある。
【００１２】
本発明の他の目的は、重りとしてコインを用いることを可能にして部品点数を減らすことができる走行玩具用ガードレールを提供することにある。
【００１３】
本発明の他の目的は、重りの数を選択できるガードレール・ブロックを備えた走行玩具用ガードレールを提供することにある。
【００１４】
本発明の更に他の目的は、コインの着脱が容易なガードレール・ブロックを備えた走行玩具用ガードレールを提供することにある。
【００１５】
本発明の別の目的は、二つのガードレール・ブロックまたは二つの分割ブロックを互いに近づける動作により両者を連結することができる走行玩具用ガードレールを提供することにある。
【００１６】
本発明の目的は、シート状延長壁部材の装着が容易なガードレール・ブロック備えた走行玩具用ガードレールを提供することにある。
【００１７】
【課題を解決するための手段】
本発明は、複数種類のガードレール・ブロックに分けられる複数のガードレール・ブロックが任意に組み合わされて構成され、走行玩具を走行させるコースに沿って配置される走行玩具用ガードレール及びこれに用いるガードレール・ブロックを改良の対象とする。
【００１８】
本発明で用いる複数のガードレール・ブロックは、それぞれ隣接する他のガードレール・ブロックと第１のタイプの連結構造を介して連結される。また本発明では、複数種類のガードレール・ブロックのうち少なくとも１種類のガードレール・ブロックとして、ガードレール・ブロックの長手方向に沿って並び且つ第２のタイプの連結構造を介してそれぞれ連結された３個以上の分割ブロックにより構成された分割タイプのガードレール・ブロックを用いる。本願明細書において、ガードレール・ブロックとは、１つのブロックにより構成されるものだけではなく、複数の分割ブロックによって構成された所定の形状になるもの（分割ブロックの組み合わせによって直線形状となるものや、曲がった形状となるなるもの等）のいわゆる分割タイプのガードレール・ブロックを含むものである。ここで「分割タイプのガードレール・ブロック」をより具体的なレベルで表現すれば、この種のガードレール・ブロックとは、複数の分割ブロックが連結されて構成されて、連結された状態で両端に位置する２つの端部側分割ブロックの自由端部に後述する第１の連結構造半部が存在するものである。また本願明細書において、「ガードレール」とは、複数のガードレール・ブロックを連結して構成される構造体であり、閉ループ状の形状になるものや、非閉ループ状（直線やカーブ等の形状）の形状になるものを意味し、「ガードレールのパターン」とはガードレールの平面形状を意味する。
【００１９】
分割タイプのガードレール・ブロックを構成する３個以上の分割ブロックは、両端に位置して一端に第１のタイプの連結構造の半部を構成する第１のタイプの連結構造半部を有し且つ他端に第２のタイプの連結構造の半部を構成する第２のタイプの連結構造半部を有する第１及び第２の端部側分割ブロックと、第１及び第２の端部側分割ブロックの間に位置して両端に第２のタイプの連結構造の半部を構成する第２のタイプの連結構造半部をそれぞれ備えたｎ個（ｎは正の整数）の中間分割ブロックとから構成される。そして本発明では、第１及び第２の端部側分割ブロックにそれぞれ設けられた第２のタイプの連結構造半部及び中間分割ブロックの両端にそれぞれ設けられた２つの第２のタイプの連結構造半部を、第１の端部側分割ブロック、中間分割ブロック及び第２の端部側分割ブロックの順にこれらを連結するときには、第１の端部側分割ブロック、中間分割ブロック及び第２の端部側分割ブロックのそれぞれの長手方向に延びる中心線間の角度が１８０°となり（即ち各分割ブロックが直線状に並んだ状態で連結され）、第２の端部側分割ブロック、中間分割ブロック及び第１の端部側分割ブロックの順にこれらを連結するときには、第２の端部側分割ブロックの長手方向に延びる中心線と中間分割ブロックの長手方向に延びる中心線との間の夾角θ及び第１の端部側分割ブロックの長手方向に延びる中心線と中間分割ブロックの長手方向に延びる中心線との間の夾角θがそれぞれ１８０°より小さい角度になるように（中間分割ブロックに対して第１及び第２の端部側分割ブロックが角度を持って連結された状態になるように）構成する。なお上記に記述した本発明の特徴を別の見方をして表現すると、次のようになる。すなわち第１及び第２の端部側分割ブロックにそれぞ設けられた第２のタイプの連結構造半部及び中間分割ブロックの両端にそれぞれ設けられた２つの第２のタイプの連結構造半部を、第１の端部側分割ブロック、中間分割ブロック及び第２の端部側分割ブロックの順にこれらを連結するときには、第１の端部側分割ブロック、中間分割ブロック及び第２の端部側分割ブロックのそれぞれの長手方向に延びる中心線間の角度が１８０°となり、中間分割ブロックを該中間分割ブロックの中心を通り且つ該中間分割ブロックの長手方向に延びる中心線と直交する方向に延びる垂直線を中心にして１８０°回転した状態で、この中間分割ブロックの両端に第１及び第２の端部側分割ブロックを連結したときに、第２の端部側分割ブロックの長手方向に延びる中心線と中間分割ブロックの長手方向に延びる中心線との間の夾角θ及び第１の端部側分割ブロックの長手方向に延びる中心線と中間分割ブロックの長手方向に延びる中心線との間の夾角θがそれぞれ１８０°より小さい角度になるように構成すればよい。
【００２０】
このような分割タイプのガードレール・ブロックは、分割ブロックの組み合わせにより直線状のガードレール・ブロックとしても、またカーブを構成する曲がったガードレール・ブロックとしても用いることができる。したがって、少ない種類のガードレール・ブロックを用いて従来よりもコース設計の自由度を高めることができる。また各ブロックは、連結構造を介して結合されるため、各ブロックを結合して構成したガードレールの形が崩れない利点がある。
【００２１】
典型的な分割タイプのガードレール・ブロックは、第１及び第２の端部側分割ブロックと１つの中間分割ブロックとから構成することができる。この場合に、第１及び第２の端部側分割ブロックは、それぞれの第１のタイプの連結構造半部を連結したときに、中間分割ブロックと同じ形状のブロックを構成するように形状及び寸法を定め、夾角θが[１８０°−（３６０°／ｍ）]となるようにすると（但しｍは４以上の正の整数）、曲がった状態に組み立てられたガードレール・ブロックは、正ｍ角形の輪郭を有するガードレールの一辺と該一辺に隣接する２つの辺の半部を備えた曲がったガードレールを得ることができる。偶数角の正多角形であれば、この曲がったガードレールのみを複数組み合わせることにより簡単に構成できる。
【００２２】
なお複数種類のガードレール・ブロックを、直線状に延びた２種類のガードレール・ブロックから構成し、そのうちの一方を前述の分割タイプのガードレール・ブロックとしてもよい。このようにすると、ガードレール・ブロックが直線状であるため、ガードレールのキットの梱包を小さいものとすることができる。
【００２３】
また複数種類のガードレール・ブロックに、第２のタイプの連結構造により連結された２個の分割ブロックからなる第３の種類のガードレール・ブロックを含めてもよい。なおこの第３の種類のガードレール・ブロックを構成する２個の分割ブロックとしては、一端に第１のタイプの連結構造の半部を構成する第１のタイプの連結構造半部を有し且つ他端に第２のタイプの連結構造の半部を構成する第２のタイプの連結構造半部をそれぞれ有しているものを用いるのが好ましい。この第３の種類のガードレール・ブロックを構成する分割ブロックを他の分割ブロックと結合すると、分割ブロックの結合により構成されるガードレール・ブロックの長さを変更することができ、設計の自由度が更に高くなる。
【００２４】
ガードレール・ブロック並びに第１及び第２の端部側分割ブロック及び中間分割ブロックを、それぞれ長手方向に延びる中心線に沿って稜線を形成するように一端が結合され且つ稜線から離れるに従って互いに離れるように傾斜した第１及び第２のサイドウォールと、長手方向の両側に位置して第１及び第２のサイドウォールを連結する第１及び第２のエンドウォールと、前記第１及び第２のサイドウォール並びに第１及び第２のエンドウォールによって囲まれて稜線が位置する側とは反対側に向かって開口する開口部を有する空間部とをそれぞれ備えた構成とすることができる。このような中空構造にすると、第１及び第２のエンドウォールブロックの存在により機械的強度を大きく低下させることなく、ブロックの重量を軽量化することができる。また第１及び第２のサイドウォールがそれぞれ傾斜面を構成するため、第１及び第２のサイドウォールのいずれをもコースを囲む斜面として利用できるので、ガードレールを方向性を気にせずに使用できる利点がある。
【００２５】
また第１及び第２のサイドウォールの内壁部に、開口部を通して挿入される少なくとも一つの重りを着脱可能に保持する重り保持構造部を一体に設けてもよい。重り保持構造部を設ければ、ガードレールの設置接触面の状況により、特に走行玩具の衝撃によりすべり易い設置接触面に対しては重りを重り保持構造部に装着して、ガードレールが簡単に移動しないようにすることができる。またコースの形状により、移動玩具が当たり易い部分にだけ、重りを装着してガードレールの移動を少ない数の重りで抑制することができる。そのため必要以上に重りの数を増やす必要がなくなり、部品点数の減少化に寄与する。
【００２６】
重り保持構造部を長手方向に沿って複数個設けると、走行玩具の大きさ及び駆動力に応じて１つのガードブロックの全体重量を調整することができるので、ガードレールの汎用性が高くなる。
【００２７】
なお重りとして少なくとも１種類のコイン（円板状の重り）を用いることができるようにすると、重りとしての部品をキットに含める必要がないので、部品点数を少なくして、製品の価格を下げることができる。なおこの場合には、重り保持構造部を、コインの表面または裏面が開口部側に向く姿勢でコインを保持するように構成する。このようにしておけば、ガードレール・ブロックの高さを高くすることなく、コインを重りとして利用できる。
【００２８】
なお外径寸法の異なる複数枚のコインを、外径寸法が大きいコインが外形寸法の小さいコインよりも開口部側に位置するように保持できるように重り保持構造部を構成してもよい。この構造を採用すると、１つの重り保持構造部に複数枚のコインを保持させて重りの重量を変えることができる。
【００２９】
具体的な重り保持構造部の一例は,、稜線に沿って並び、且つ開口部に向かって延びてコインの外周部と係合する第１及び第２のフックと、稜線と直交し且つ第１及び第２の一対のフック間の中心を通る仮想中心を中心として周方向に前記第１及び第２のフックから９０°離れた位置に形成されてコインの表面または裏面の周縁部と接触する第１及び第２のストッパ部と、第１及び第２のストッパ部の間に位置する第３のストッパ部と、第１のストッパ部と第１のフックとの間に位置して仮想中心を中心とする仮想円に沿って延びコインの外周面と接触する第１の円弧状起立壁部と、第２のストッパ部と第２のフックとの間に位置して仮想中心を中心とする仮想円に沿って延びコインの外周面と接触する第２の円弧状起立壁部とからなり、第１のフックと第２の円弧状起立壁部との間及び第２のフックと第１の円弧状起立壁部との間にプレイヤの２本の指の先端を入れる２つの空間が形成された構造を備えている。この重り保持構造部を用いると、コインの着脱をプレイヤの指で簡単に行える利点がある。また第３のストッパ部が第１及び第２のサイドウォールに対する補強用の梁として機能する利点がある。
【００３０】
第１及び第２のタイプの連結構造の構成（即ち第１及び第２のタイプの連結構造半部の構成）は任意である。例えば、ガードレール・ブロックの第１及び第２のエンドウォールを、ブロックの中心線及び稜線を含む第１の仮想面と直交する第２の仮想面と平行に延びるようにそれぞれ形成し、第１及び第２のエンドウォールには第１の仮想面が中央に位置するように配置されて第１の仮想面と平行に延びる凹部及び凸部をそれぞれ設け、第１のエンドウォールに設けられた凹部及び凸部と第２のエンドウォールに設けられた凹部及び凸部とが、第１の仮想面に対して逆の配置関係になるようにする。そして第１及び第２のエンドウォールに設けられた凹部及び凸部が、隣接する他のガードレール・ブロックに設けられた凸部及び凹部と嵌合することにより第１のタイプの連結構造を構成する第１のタイプの連結構造半部を構成するようにしてもよい。第１の連結構造が２つの凹部と２つの凸部との嵌合構造により構成されことになるため、連結強度を高めることができる。
【００３１】
また分割ブロックを連結する第２のタイプの連結構造（第２のタイプの連結構造半部）の構成も任意である。他のガードレール・ブロックとの連結のために第１及び第２の端部側分割ブロックの前記第１のエンドウォールには第１のタイプの連結構造半部を設ける。そこで第１及び第２の端部側分割ブロックの第１のエンドウォールをブロックの中心線及び稜線を含む第１の仮想面と直交する第２の仮想面と平行に延びるようにそれぞれ形成する。そして第１及び第２の端部側分割ブロックの第１のエンドウォールには第１の仮想面が中央に位置するように配置されて第１の仮想面と平行に延びる凹部及び凸部を設ける。また第１及び第２の端部側分割ブロックの第２のエンドウォールは、第１の仮想面と交差し第１の仮想面との間の角度が夾角θの１／２の角度となる第３の仮想面と平行に延びるようにそれぞれ形成する。そして第１及び第２の端部側分割ブロックの第２のエンドウォールには第３の仮想面と直交する第４の仮想面が中央に位置するように配置されて第４の仮想面と平行に延びる凹部及び凸部を設ける。その上で、第１及び第２の端部側分割ブロックの第１のエンドウォールに設けられた凹部及び凸部の第１の仮想面に対する位置関係と第１及び第２の端部側分割ブロックの第２のエンドウォールに設けられた凹部及び凸部の第４の仮想面に対する位置関係とを、逆の位置関係にする。また中間分割ブロックの第１のエンドウォールは、中間分割ブロックの長手方向に延びる中心線及び稜線を含む第５の仮想面と交差し且つ第５の仮想面との間の角度が夾角θの１／２の角度となる第６の仮想面と平行に延びるように形成する。更に中間分割ブロックの第１のエンドウォールには、第６の仮想面と直交する第７の仮想面が中央に位置するように配置されて第７の仮想面と平行に延びる凹部及び凸部を設ける。中間分割ブロックの第２のエンドウォールは、第５の仮想面と交差し、第６の仮想面とは非平行で、しかも第５の仮想面との間の角度が夾角θの１／２の角度となる第８の仮想面と平行に延びるように形成する。その上で、中間分割ブロックの第２のエンドウォールには第８の仮想面と直交する第９の仮想面が中央に位置するように配置されて第９の仮想面と平行に延びる凹部及び凸部を設ける。なお中間分割ブロックの第１のエンドウォールに設けられた凹部及び凸部の第７の仮想面に対する位置関係と中間分割ブロックの第２のエンドウォールに設けられた凹部及び凸部の第９の仮想面に対する位置関係とは、逆の位置関係にする。このようにすると、第１及び第２の端部側分割ブロックの第２のエンドウォールに設けられた凹部及び凸部と、中間分割ブロックの前記第１及び第２のエンドウォールに設けられた凹部及び凸部とは、嵌合した状態で前記第２のタイプの連結構造を構成する第２のタイプの連結構造半部をそれぞれ構成することになる。第２のタイプの連結構造は、分割ブロックを相互に連結するものであって、２つの分割ブロックの組み合わせにより、２つの分割ブロックを直線状又所定の角度を持った曲がった状態にも連結させることができるものである。
【００３２】
なお凸部の形状は任意であるが、エンドウォールから延びる一対の直線状脚部と、一対の直線状脚部の外壁部に設けられた一対の突出部と、一対の直線状脚部の先端を連結する連結部とから構成することができる。また凹部の形状も凸部がある程度のきつさを持って嵌合できるものであれば、どのような形状でもよい。例えば、凹部をエンドウォールに向かって開口する挿入口と、この挿入口から一対の直線状脚部が延びる方向とは反対側に延びる一対の対向壁部と、一対の対向壁部から突出して凸部に設けられた一対の突出部と係合する一対の被係合部とを備えた構造としてもよい。このような構造にすると、ブロックを合成樹脂材料等の成形材料を用いて一体成形する際に、少ない数の成形型を用いて簡単に凸部と凹部を形成することができる。
【００３３】
なおガードレール・ブロックの第１及び第２のサイドウォールには、稜線の両側に位置して稜線に沿って延びる２本以上の溝部をそれぞれ形成してもよい。この溝には二つ折りされたシート状の延長壁部材の嵌合部を嵌合させることにより、延長壁部材を二つ折り状態で簡単に装着できる。
【００３４】
本発明を走行玩具用ガードレールを構成するために用いるガードレール・ブロックとして特定すると、次のようになる。ガードレール・ブロックは、ガードレール・ブロックの長手方向に沿って並ぶ第１の端部側分割ブロックと、一端が第１の連結構造を介して第１の端部側ブロックの一端に連結される中間分割ブロックと、一端が第２の連結構造を介して前記中間分割ブロックの他端と連結される第２の端部側分割ブロックとから構成される。そして第１及び第２の連結構造は、第１の端部側分割ブロック、中間分割ブロック及び第２の端部側分割ブロックの順で並ぶ第１の連結状態のときと、第２の端部側分割ブロック、中間分割ブロック及び第１の端部側分割ブロックの順で並ぶ第２の連結状態のときのいずれにおいても、各分割ブロックを連結することができ、しかも第１の連結状態のときにはガードレール・ブロックが直線状になり、前記第２の連結状態のときには、ガードレール・ブロックが非直線状になるように構成されている。
【００３５】
【発明の実施の形態】
以下図面を参照して本発明の実施の形態の一例を詳細に説明する。図１（Ａ）乃至（Ｃ）は、本発明の実施の形態の一例の走行玩具用ガードレールを組み立てる場合に用いるガードレール・キットに含まれる２種類のガードレール・ブロックと１種類のエンドパーツの概略平面図をそれぞれ示している。図１（Ａ）乃至（Ｃ）は、各パーツの外形の輪郭形状を概略的に示すものであって、後に説明する具体的な各部品の図面とは細部の構成を異にするものである。このキットには、図１（Ａ）に示した直線状のガードレール・ブロック１が３０本、図１（Ｂ）に示した後述する３個の分割ブロックから構成される分割タイプのガードレール・ブロック３が２０本、そして図１（Ｃ）に示したエンドパーツ５が５個含まれている。特に、図１（Ｂ）に示す分割タイプのガードレール・ブロック３は、３個の分割ブロックによって構成されている。この３つの分割ブロックは、両端に位置して一端に第１のタイプの連結構造（詳細は後述する）の半部を構成する第１のタイプの連結構造半部を有し且つ他端に第２のタイプの連結構造（詳細は後述する）の半部を構成する第２のタイプの連結構造半部を有する第１及び第２の端部側分割ブロック７及び９と、第１及び第２の端部側分割ブロック７及び９の間に位置して両端に第２のタイプの連結構造の半部を構成する第２のタイプの連結構造半部をそれぞれ備えた１個の中間分割ブロック１１とから構成される。この分割タイプのガードレール・ブロック３は、図１（Ｂ）に示すように第１の端部側分割ブロック７、中間分割ブロック１１及び第２の端部側分割ブロック９の順にこれらを連結するときには、第１の端部側分割ブロック７、中間分割ブロック１１及び第２の端部側分割ブロック９のそれぞれの長手方向に延びる中心線間の角度が１８０°となる（即ち各分割ブロックが直線状に並んだ状態で連結される）。そして図２に示すように、第２の端部側分割ブロック９、中間分割ブロック１１及び第１の端部側分割ブロック７の順にこれらを連結するときには（見方を変えれば、中間分割ブロック１１をプレイフィールド上に１８０°回転させた後にその両端に第１及び第２の端部側分割ブロック７及び９を連結するときには）、第２の端部側分割ブロック９の長手方向に延びる中心線ＣＬ１と中間分割ブロック１１の長手方向に延びる中心線ＣＬ２との間の夾角θ及び第１の端部側分割ブロック７の長手方向に延びる中心線ＣＬ３と中間分割ブロック１１の長手方向に延びる中心線ＣＬ２との間の夾角θが１８０°より小さい角度になるように（中間分割ブロック１１に対して第１及び第２の端部側分割ブロック７及び９が角度を持って連結された状態になるように）、第２のタイプの連結構造によって結合されている。
【００３６】
以下各パーツのより具体的な構造の一例をそれぞれ詳細に説明する。図３（Ａ）は、直線状のガードレール・ブロック１の詳細構造の平面図であり、図３（Ｂ）は、ガードレール・ブロック１の長手方向の両端の端面図である。そして図４は図３（Ａ）のＩＶ−ＩＶ線断面図であり、図５はガードレール・ブロック１の底面を示す部分図であり、図６は図３（Ａ）のＶＩ−ＶＩ線断面図である。これらの図において、ガードレール・ブロック１は、合成樹脂成形材料により一体に成形されている。そしてガードレール・ブロック１は、ガードレール・ブロック１の長手方向に延びる中心線ＣＬに沿って稜線１３を形成するように一端が結合され且つ稜線１３から離れるに従って互いに離れるように同じ角度を持って傾斜する同じ幅寸法を有する細長い板状の第１及び第２のサイドウォール１５及び１７と、長手方向の両側に位置して第１及び第２のサイドウォール１５及び１７を連結する輪郭が二等辺三角形を示す板状の第１及び第２のエンドウォール１９及び２１と、第１及び第２のサイドウォール１５及び１７並びに第１及び第２のエンドウォール１９及び２１によって囲まれて稜線１３が位置する側とは反対側に向かって開口する開口部２３を有する空間部２５とを備えている。
【００３７】
そして第１及び第２のサイドウォール１５及び１７の内壁部には、開口部２３を通して挿入される４枚のコイン（例えば１０円硬貨）からなる重りを着脱可能に保持する４つの重り保持構造部２６が長手方向に所定の間隔を開けて設けられている。図５には１つの重り保持構造部２６が示されている。
【００３８】
この重り保持構造部２６は、稜線１３に沿って並び且つ開口部２３に向かって延びてコイン（図示しない）の外周部と係合する第１及び第２のフック２７及び２９と、稜線１３と直交し且つ第１及び第２の一対のフック２７及び２９間の中心を通る仮想中心ＰＣを中心として周方向に第１及び第２のフック２７及び２９から９０°離れた位置に形成されてコイン（図示しない）の表面または裏面の周縁部と接触する第１及び第２のストッパ部３１及び３３と、第１及び第２のストッパ部３１及び３３の間に位置する第３のストッパ部３５と、第１のストッパ部３１と第１のフック２７との間に位置して仮想中心ＰＣを中心とする仮想円に沿って延びてコイン（図示しない）の外周面と接触する第１の円弧状起立壁部３７と、第２のストッパ部３３と第２のフック２９との間に位置して仮想中心ＰＣを中心とする仮想円に沿って延びコイン（図示しない）の外周面と接触する第２の円弧状起立壁部３９とからなり、第１のフック２７と第２の円弧状起立壁部壁部３９との間及び第２のフック２９と第１の円弧状起立壁部３７との間にプレイヤの２本の指の先端を入れる２つの空間４１及び４３が形成された構造を備えている。
【００３９】
図３（Ａ）に示すように、第１及び第２のサイドウォール１５及び１７に跨るようにして、８個の矩形状の貫通孔４５が稜線１３に沿って所定の間隔を開けて形成されている。これらの貫通孔４５は、図６に示すようにフック２７及び２９の係合部（フック部）２７ａ及び２９ａを型によって一体成形するために成形型に設けられた抜き型部の跡である。
【００４０】
このような重り保持構造部２６を用いると、コインの着脱をプレイヤの指で簡単に行える利点がある。また第３のストッパ部３５が、第１及び第２のサイドウォール１５及び１７と一体に構成されているので、これが第１及び第２のサイドウォール１５及び１７に対して補強用の梁として機能する。
【００４１】
この例では、重り保持構造部２６をガードレール・ブロック１の長手方向に沿って４個設けているが、重り保持構造部２６はなくてもよい。また重り保持構造部２６の数は、任意である。
【００４２】
なお図７に示すように、第３のストッパ部３５に外径寸法の小さい他の種類のコイン（例えば５円硬貨）が嵌合される凹部３６を形成しておけば、１つの重り保持構造部２６に複数枚のコインを保持させて１つの重り保持構造部２６に保持させることができる重りの重量を変えることができる。
【００４３】
図３及び図５に示すように、ガードレール・ブロック１の第１及び第２のエンドウォール１９及び２１は、ブロック１の中心線ＣＬ及び稜線１３を含む第１の仮想面ＰＳ１と直交する第２の仮想面ＰＳ２と平行に延びるようにそれぞれ形成されている。そして第１及び第２のエンドウォール１９及び２１には、第１の仮想面ＰＳ１が中央に位置するように配置されて第１の仮想面ＰＳ１と平行に延びる凸部４７及び凹部４９がそれぞれ設けられている。第１のエンドウォール１９に設けられた凹部４９及び凸部４７と第２のエンドウォール２１に設けられた凹部４９及び凸部４７とは、第１の仮想面ＰＳ１に対して逆の配置関係になるようにそれぞれ設けられている。第１及び第２のエンドウォール１９及び２１に設けられた凹部４９及び凸部４７が、隣接する他のガードレール・ブロックに設けられた凸部４７及び凹部４９と嵌合することにより第１のタイプの連結構造が構成される。したがって第１及び第２のエンドウォール１９及び２１の外面と凹部４９及び凸部４７とにより第１のタイプの連結構造半部がそれぞれ構成されている。
【００４４】
凸部４７及び凹部４９の構造を、第１のエンドウォール１９に設けられたものに基づいて説明する。凸部４７は、エンドウォール１９から延びる一対の直線状脚部４７ａ及び４７ａと、一対の直線状脚部４７ａ及び４７ａの外壁部に設けられた一対の突出部４７ｂ及び４７ｂと、一対の直線状脚部４７ａ及び４７ａの先端を連結する連結部４７ｃとから構成されている。一対の突出部４７ｂ及び４７ｂは、一対の直線状脚部４７ａ及び４７ａが延びる方向とは直交する方向に延びる細長い形状を有している。また凹部４９は、エンドウォール１９に向かって開口する挿入口４９ａと、この挿入口４９ａから挿入される他のガードレール・ブロックの一対の直線状脚部４７ａ及び４７ａが延びる方向とは反対側に延びる一対の対向壁部４９ｂ及び４９ｂと、一対の対向壁部４９ｂ及び４９ｂから突出して他のガードレール・ブロックの凸部４７に設けられた一対の突出部４７ｂ及び４７ｂと係合する一対の被係合部４９ｃ及び４９ｃと、
一対の対向壁部４９ｂ及び４９ｂを連結する連結壁部４９ｄとを備えて構成されている。なお挿入口４９ａの開口縁部には、外側に向かうに従って広がるテーパ面４９ｅが形成されている。第１及び第２のサイドウォール１５及び１７の端部には、それぞれ凹部４９に対応した位置に貫通孔５１が形成されている。これらの貫通孔５１も、前述の貫通孔４５と同様に、凹部４９内に一対の被係合部４９ｃ及び４９ｃを一体成形するために用いられる成形型に設けられた抜き型部の跡である。
【００４５】
また第１及び第２のサイドウォール１５及び１７には、稜線１３の両側に位置して稜線１３に沿って延びる複数本の溝部５３が形成されている。これら複数本の溝部５３は、稜線１３を間に挟んで千鳥状に交互に並ぶように形成されている。これらの溝部５３には、図８に示す紙等のシート５５を折線５７に沿って二つ折りにして形成した延長壁部材５９の嵌合部６１がそれぞれ嵌合される。この例のように溝部５３を千鳥状に配置すれば、溝部５３の存在により第１及び第２のサイドウォール１５及び１７の機械的強度が極端に低下するのを防止することができる。また第１及び第２のサイドウォール１５及び１７のそれぞれに分散して溝部５３を形成すれば、特別に溝部の内部形状を工夫しなくても、二つ折りされた延長壁部材５９が外側に広がろうとする力だけで、延長壁部材５９をしっかりと固定することができる。
【００４６】
図９（Ａ）及び（Ｂ）は、具体的な第１の端部側分割ブロック７の平面図及び底面図である。これらの図において、図３乃至図６に示したガードレール・ブロック１の各部の構成と同様の部分には、図３乃至図６に示した符号に１００の数の符号を付した符号を付して詳細な説明を省略する。この端部側分割ブロック７は、図３に示したガードレール・ブロック７と比べて長さ寸法が短い点と、第２のエンドウォール１２１が傾斜している点で大きく相違する。
【００４７】
第１の端部側分割ブロック７の第１のエンドウォール１１９は、ブロックの中心線ＣＬ及び稜線１１３を含む第１の仮想面ＰＳ１と直交する第２の仮想面ＰＳ２と平行に延びるように形成されている。第１の端部側分割ブロック７の第１のエンドウォール１１９には第１の仮想面ＰＳ１が中央に位置するように配置されて第１の仮想面ＰＳ１と平行に延びる凹部１４９及び凸部１４７が設けるられている。また第１の端部側分割ブロック７の第２のエンドウォール１２１は、第１の仮想面ＰＳ１と交差し第１の仮想面ＰＳ１との間の角度が前述の夾角θの１／２の角度となる第３の仮想面ＰＳ３と平行に延びるように形成されている。そして第１の端部側分割ブロック７の第２のエンドウォール１２１には第３の仮想面ＰＳ１と直交する第４の仮想面ＰＳ４が中央に位置するように配置されて第４の仮想面ＰＳ４と平行に延びる凹部１４９´及び凸部１４７´を備えている。凹部１４９´及び凸部１４７´の構成は、前述の凹部４９及び凸部４７と同じである。そして第１の端部側分割ブロック７の第１のエンドウォール１１９に設けられた凹部１４９及び凸部１４７の第１の仮想面ＰＳ１に対する位置関係と第２のエンドウォール１２１に設けられた凹部１４９´及び凸部１４７´の第４の仮想面ＰＳ４に対する位置関係とは、逆の位置関係になっている。
【００４８】
図１０（Ａ）及び（Ｂ）は、第２の端部側分割ブロック９の平面図及び底面図を示している。第２の端部側分割ブロック９の形状は、第２のエンドウォール２２１の傾斜方向が第１の端部側分割ブロック７の第２のエンドウォール１２１の傾斜方向と逆になる点を除いて、第１の端部側分割ブロック７の形状と同じであるので、第９図に付した符号の数に更に１００の数を加えた数の符号を図１０に付して詳細な説明を省略する。
【００４９】
図１１(Ａ)及び（Ｂ）は、中間分割ブロック１１の平面図及び底面図である。図３乃至図６に示したガードレール・ブロック１と同様に部分には、図３乃至図６に示した符号の数に３００の数を加えた数の符号を付して説明を省略する。この中間分割ブロック１１は、両端に第１及び第２の端部側分割ブロックの第２のエンドウォールと同様の構成を備えている。すなわち中間分割ブロック１１の第１のエンドウォール３１９は、中間分割ブロック１１の長手方向に延びる中心線及び稜線１３を含む第５の仮想面ＳＰ５と交差し且つ第５の仮想面ＳＰ５との間の角度が前述の夾角θの１／２の角度となる第６の仮想面ＳＰ６と平行に延びるように形成されている。中間分割ブロック１１の第１のエンドウォール３１９には、第６の仮想面ＳＰ６と直交する第７の仮想面ＳＰ７が中央に位置するように配置されて第７の仮想面ＳＰ７と平行に延びる凹部３４９´及び凸部３４７´が設けられている。中間分割ブロック１１の第２のエンドウォール３２１は、第５の仮想面ＳＰ５と交差し、第６の仮想面ＳＡＰ６とは非平行で、しかも第５の仮想面ＳＰ５との間の角度が夾角θの１／２の角度となる第８の仮想面ＳＰ８と平行に延びるように形成されている。中間分割ブロック１１の第２のエンドウォールに３２１は第８の仮想面ＳＰ８と直交する第９の仮想面ＳＰ９が中央に位置するように配置されて第９の仮想面ＳＰ９と平行に延びる凹部３４９´及び凸部３４７´が設けられている。なお中間分割ブロック１１の第１のエンドウォール３１９に設けられた凹部３４９´及び凸部３４７´の第７の仮想面ＳＰ７に対する位置関係と中間分割ブロック１１の第２のエンドウォール３２１に設けられた凹部３４９´及び凸部３４７´の第９の仮想面ＳＰ９に対する位置関係とは、逆の位置関係になっている。そして図１１（Ｂ）に示すように、この中間分割ブロック１１には２つの重り保持構造部３２６，３２６が中間分割ブロック１１の長手方向に間隔をあけて配置されている。
【００５０】
第１及び第２の端部側分割ブロック７及び９の第２のエンドウォール１２１及び２２１に設けられた凹部１４９´及び２４９´及び凸部１４７´及び２４７´と、中間分割ブロック１１の第１及び第２のエンドウォール３１９及び３２１に設けられた凹部３４９´及び凸部３４７´とが、嵌合した状態で第２のタイプの連結構造が構成される。この例では、第１及び第２の端部側分割ブロック７及び９の第２のエンドウォール１２１及び２２１と凹部１４９´及び２４９´及び凸部１４７´及び２４７´とにより、それぞれ第２のタイプの連結構造の半部を構成する第２のタイプの連結構造半部が構成されており、また中間分割ブロック１１の第１及び第２のエンドウォール３１９及び３２１並びに凹部３４９´及び凸部３４７´とにより、それぞれ第２のタイプの連結構造半部が構成されている。
【００５１】
この例の分割タイプのガードレール・ブロックは、前述の例のように第１及び第２の端部側分割ブロック７及び９と１つの中間分割ブロック１１とから構成されている。そしてこの例では、第１及び第２の端部側分割ブロック７及び９は、それぞれの第１のタイプの連結構造半部を相互に連結したときに、中間分割ブロック１１と同じ形状のブロックを構成するように形状及び寸法が定められている。そして第１の端部側分割ブロック７を中間分割ブロック１１の第２のエンドウォール３２１側に連結し、第２の端部側分割ブロック９を中間分割ブロック１１の第１のエンドウォール３１９側に連結した場合において、第２の端部側分割ブロック９の長手方向に延びる中心線ＣＬ１と中間分割ブロック１１の長手方向に延びる中心線ＣＬ２との間の夾角θ及び第１の端部側分割ブロック７の長手方向に延びる中心線ＣＬ３と中間分割ブロック１１の長手方向に延びる中心線ＣＬ２との間の夾角θが、[１８０°−（３６０°／ｍ）]の関係を満たすようにしている（但しｍは４以上の正の整数）。この例では、ｍが８である。したがって夾角θは、１３５°になる。前述の関係を満たして曲がった状態に組み立てられたガードレール・ブロックは、正ｍ角形（この例では正八角形）の輪郭を有するガードレールの一辺と該一辺に隣接する２つの辺の半部を備えた曲がったガードレールを得ることができる。したがってこの例の分割タイプのガードレール・ブロックを４つ結合すると正八角形の環状のガードレールを作ることができる。
【００５２】
図１１に示した複数の中間分割ブロックを１８０°ずつ回転させて連結すれば、かなり長い長尺のガードレールを構成できる。また図１２に示すように、第２のタイプの連結構造により連結された２個の分割ブロック４０１及び４０２からなる３種類のガードレール・ブロックをキットに含めてもよい。なおこの３種類のガードレール・ブロックを構成する２個の分割ブロック４０１及び４０２は、一端に第１のタイプの連結構造の半部を構成する第１のタイプの連結構造半部を有し且つ他端に第２のタイプの連結構造の半部を構成する第２のタイプの連結構造半部をそれぞれ有している。
【００５３】
図１３（Ａ）乃至（Ｃ）は、エンドパーツ５の具体的な一例の平面図、底面図及び図１３（Ａ）のＢ−Ｂ線断面図である。図１３にも、図３乃至図６に示したガードレール・ブロックと同様の部分に、図３乃至図６に付した符号の数に５００を加えた数の符号を付してある。このエンドパーツ５は、前述の各ブロック３，７及び９の第１の連結構造半部と結合される第１の連結構造半部がエンドウォール５１９に構成されている。すなわち凸部５４７及び凹部５４９とエンドウォール５１９とにより第１の連結構造半部が構成されている。このエンドパーツ５を各ブロック３，７及び９の第１の連結構造半部に連結すれば、走行玩具が乗り上げても走行玩具がスムーズに移動できるような滑らかな形状とすることができる。
【００５４】
図１４（Ａ）乃至（Ｃ）は、上記キットを用いて作ったコースの例である。これらの図のコースは、比較的難易度が易しいものである。図１５（Ａ）乃至（Ｅ）も上記キットを用いて作ったコースの例である。これらの図のコースは、難易度が普通のものである。図１６（Ａ）乃至（Ｃ）も上記キットを用いて作ったコースの例である。これらの図のコースは、難易度が高いものである。
【００５５】
なお以下に、本願明細書に記載されたガードレール・ブロックの発明の構成を列挙する。
【００５６】
（１）  長手方向の両端に連結構造の半部を構成する連結構造半部をそれぞれ備えた走行玩具用ガードレールに用いるガードレール・ブロックであって、
長手方向に延びる中心線に沿って稜線を形成するように一端が結合され且つ前記稜線から離れるに従って互いに離れるように傾斜した第１及び第２のサイドウォールと、
前記長手方向の両側に位置して前記第１及び第２のサイドウォールを連結する第１及び第２のエンドウォールと、
前記第１及び第２のサイドウォール並びに前記第１及び第２のエンドウォールによって囲まれて前記稜線が位置する側とは反対側に向かって開口する開口部を有する空間部とをそれぞれ備えて構成され、
前記第１及び第２のエンドウォールに前記連結構造半部がそれぞれ設けられているガードレール・ブロック。
【００５７】
（２）  前記第１及び第２のサイドウォールの内壁部には、前記開口部を通して挿入される少なくとも一つの重りを着脱可能に保持する重り保持構造部が一体に設けられている上記（１）に記載の走行玩具用ガードレール。
【００５８】
（３）  前記重り保持構造部が前記長手方向に沿って複数個設けられている上記（２）に記載の走行玩具用ガードレール。
【００５９】
（４）  前記重りが少なくとも１種類のコインからなり、
前記重り保持構造部は、前記コインの表面または裏面が前記開口部側に向く姿勢で前記コインを保持するように構成されている上記（３）または（４）に記載の走行玩具用ガードレール。
【００６０】
（５）  前記重り保持構造部は、外径寸法の異なる複数枚のコインを、外径寸法が大きい前記コインが外形寸法の小さい前記コインよりも前記開口部側に位置するように保持する構造を有している上記（４）に記載の走行玩具用ガードレール。
【００６１】
【発明の効果】
本発明によれば、分割タイプのガードレール・ブロックを、分割ブロックの組み合わせにより直線状のガードレール・ブロックとしても、またカーブを構成する曲がったガードレール・ブロックとしても用いることができるので、少ない種類のガードレール・ブロックを用いて従来よりもコース設計の自由度を高めることができる利点がある。また各ブロックは、連結構造を介して結合されるため、各ブロックを結合して構成したガードレールの形が崩れない利点がある。
【００６２】
そして複数種類のガードレール・ブロックを、直線状に延びた第２の種類のガードレール・ブロックから構成し、そのうちの一方を前述の分割タイプのガードレール・ブロックとすれば、ガードレール・ブロックが直線状であるため、ガードレールのキットの梱包を小さいものとすることができる。
【００６３】
また第１及び第２のサイドウォールの内壁部に、開口部を通して挿入される少なくとも一つの重りを着脱可能に保持する重り保持構造部が一体に設けられているので、ガードレールの設置面の状況により、特にすべり易い設置面に対しては重りを重り保持構造部に装着して、ガードレールが簡単に移動しないようにすることができる。この場合、コースの形状により、移動玩具が当たり易い部分にだけ、重りを装着してガードレールの移動を少ない数の重りで抑制することができるので、必要以上に重りの数を増やす必要がなくなって、部品点数の減少化を図ることができる。また重り保持構造部を長手方向に沿って複数個設けると、走行玩具の大きさ及び駆動力に応じて１つのガードレール・ブロックの全体重量を調整することができるので、ガードレールの汎用性が高くなる。
【００６４】
なお重りとして少なくとも１種類のコイン（円板状の重り）を用いると、重りとしての部品をキットに含める必要がないので、部品点数を少なくして、製品の価格を下げることができる。またこの場合に、重り保持構造部を、コインの表面または裏面が開口部側に向く姿勢でコインを保持するように構成すれば、ガードレール・ブロックの高さを高くすることなく、コインを重りとして利用できる利点がある。
【図面の簡単な説明】
【図１】  （Ａ）乃至（Ｃ）は、本発明の実施の形態の一例の走行玩具用ガードレールを組み立てる場合に用いるガードレール・キットに含まれる２種類のガードレール・ブロックと１種類のエンドパーツの概略平面図をそれぞれ示す図である。
【図２】   図１（Ｂ）の分割タイプのガードレール・ブロックを構成する分割ブロックの組み合わせの変形例を示す平面図である。
【図３】  （Ａ）は直線状のガードレール・ブロックの詳細構造の平面図であり、（Ｂ）はガードレール・ブロックの長手方向の両端の端面図である。
【図４】  図３（Ａ）のＩＶ−ＩＶ線断面図である。
【図５】  ガードレール・ブロックの底面を示す部分図である。
【図６】  図３（Ａ）のＶＩ−ＶＩ線断面図である。
【図７】  重り保持構造部の変形例を示す断面図である。
【図８】  延長壁部材の平面図である。
【図９】  （Ａ）及び（Ｂ）は第１の端部側分割ブロックの平面図及び底面図である。
【図１０】  （Ａ）及び（Ｂ）は第２の端部側分割ブロックの平面図及び底面図である。
【図１１】  （Ａ）及び（Ｂ）は中間分割ブロックの平面図及び底面図である。
【図１２】  第３の種類のガードレール・ブロックの平面図である。
【図１３】  （Ａ）乃至（Ｃ）は、エンドパーツの平面図、底面図及び図１３（Ａ）のＢ−Ｂ線断面図である。
【図１４】  （Ａ）乃至（Ｃ）はそれぞれキットを用いて作った難易度の易しいコースの例である。
【図１５】  （Ａ）乃至（Ｅ）はそれぞれキットを用いて作った難易度が普通のコースの例である。
【図１６】  （Ａ）乃至（Ｃ）はそれぞれキットを用いて作った難易度の高いコースの例である。
【符号の説明】
１  ガードレール・ブロック
３  分割タイプのガードレール・ブロック
５  エンドパーツ
７  第１の端部側分割ブロック
９  第２の端部側分割ブロック
１１  中間分割ブロック
１３  稜線
１５  第１のサイドウォール
１７  第２のサイドウォール
１９及び２１  第１及び第２のエンドウォール
２６  重り保持構造部
２７及び２９  第１及び第２のフック
４７  凸部
４９  凹部
５３  溝部
【図１】
0003881207.tif 000002
【図２】
0003881207.tif 000003
【図３】
0003881207.tif 000004
【図４】
0003881207.tif 000005
【図５】
0003881207.tif 000006
【図６】
0003881207.tif 000007
【図７】
0003881207.tif 000008
【図８】
0003881207.tif 000009
【図９】
0003881207.tif 000010
【図１０】
0003881207.tif 000011
【図１１】
0003881207.tif 000012
【図１２】
0003881207.tif 000013
【図１３】
0003881207.tif 000014
【図１４】
0003881207.tif 000015
【図１５】
0003881207.tif 000016
【図１６】
0003881207.tif 000017